(57)【要約】【課題】背当て部がコンパクトであると共に、体への装着が簡単で、かつ、右左の伸縮ベルトそれぞれによって肩にかける矯正力を簡単かつ確実に調整する。【解決手段】伸縮性を有する右側伸縮ベルト１１ａおよび左側伸縮ベルト１１ｂと、右側伸縮ベルト１１ａおよび左側伸縮ベルト１１ｂの基部がそれぞれ接続され、背中側に位置する背当て部１２と、背当て部１２に設けられ、着用時には背当て部１２からそれぞれ右左の肩部の上を通った後、体の右左の前側および脇の下を通って背中側に戻った右側伸縮ベルト１１ａおよび左側伸縮ベルト１１ｂそれぞれを通し、再度体の前側に回す右側ベルト方向転換部１３ａおよび左側ベルト方向転換部１３ｂとを備え、右側伸縮ベルト１１ａおよび左側伸縮ベルト１１ｂの先端部には、それぞれ、互いに連結するための連結用オス側面ファスナー１１ａまたは連結用メス側連結部材である連結用メス側面ファスナー１１ｂ２を備える。【選択図】図１
2019129997.tif 000002
【特許請求の範囲】
【請求項１】
伸縮性を有する右左それぞれの伸縮ベルトと、
その右左それぞれの伸縮ベルトの基部がそれぞれ接続され、着用時には体の背中側に位置する背当て部と、
前記背当て部に設けられ、着用時には前記背当て部からそれぞれ右左の肩部の上を通った後、体の右左の前側および脇の下を通って背中側に戻った前記右左それぞれの伸縮ベルトそれぞれを通して再度、体の前側に回す右左それぞれのベルト方向転換部とを備え、
前記右左それぞれの伸縮ベルトの先端部には、それぞれ、互いに連結するための連結用オス側連結部材または連結用メス側連結部材が設けられていることを特徴とする姿勢矯正ベルト。
【請求項２】
請求項１記載の姿勢矯正ベルトにおいて、
前記右左それぞれの伸縮ベルトの内、先端部に前記連結用オス側連結部材が設けられた伸縮ベルトの一部には、前記連結用オス側連結部材を仮止めするための仮止め用メス側連結部材が設けられている一方、
前記右左それぞれの伸縮ベルトの内、先端部に前記連結用メス側連結部材が設けられた伸縮ベルトの先端部の裏側には仮止め用メス側連結部材が設けられていると共に、当該伸縮ベルトの一部には、前記仮止め用メス連結部材を仮止めするための仮止め用オス側連結部材が設けられていることを特徴とする姿勢矯正ベルト。
【請求項３】
請求項１または請求項２記載の姿勢矯正ベルトであって、
前記右左それぞれのベルト方向転換部は、伸縮率が前記右左それぞれの伸縮ベルトよりも小さくほとんど伸縮しない右左それぞれの否伸縮ベルトによって前記背当て部に対し連結されており、
前記右左それぞれの伸縮ベルト同士が成す角度は、８０度±５度である一方、前記右左それぞれの否伸縮ベルト同士が成す角度は、１１０度±５度であることを特徴とする姿勢矯正ベルト。
【発明の詳細な説明】
【技術分野】
【０００１】
本発明は、体に装着して姿勢を矯正する姿勢矯正ベルトに関するものである。
【背景技術】
【０００２】
猫背や前屈み姿勢の習慣、持続により背筋が曲がると、姿勢やスタイルが悪くなるといった美容面ばかりでなく、肩こり、腰痛の原因となるなど健康面にも多大な影響を与える。そのため、背筋の曲がりを防止する、あるいは曲がった背筋を伸ばすことは体にとって大いに意味のあることではあるが、常に姿勢に注意を払い背筋の伸びた正しい姿勢を維持することは容易なことではない。
【０００３】
そこで、正しい姿勢を維持させるため姿勢矯正ベルトとして、従来より本件出願人も姿勢矯正ベルトを出願して特許にしていると共に（例えば、特許文献１，２参照。）、他社からも各種提案されている（例えば、特許文献３，４参照。）。
【先行技術文献】
【特許文献】
【０００４】
【特許文献１】特許第５５２８７４８号公報
【特許文献２】特許第６１４８８９１号公報
【特許文献３】特開２０１４−１５０８０９号公報
【特許文献４】特開２００１−１７４５６号公報
【発明の概要】
【発明が解決しようとする課題】
【０００５】
しかし、特許文献１，２に記載の姿勢矯正ベルトは、背当て部がメッシュ構造で通気性にすぐれていて使用感や使い勝手等についてはまったく問題ないものの、背当て部の中を左右それぞれの伸縮ベルトを通す構造であるため、コンパクト性に欠けていた。
【０００６】
また、特許文献３に記載の姿勢矯正ベルトは、背当て部が省略されており、伸縮ベルト自体を連結して構成されているが、肩を通るベルト（特許文献３では、第一側部ベルト４１および第二側部ベルト４２）の長さを調整できないため、使用者の身長や体形、体格、性別等によっては、使用者好み乃至は最適な矯正力を確保し難いという問題がある。
【０００７】
また、特許文献４に記載の姿勢矯正ベルトは、胸ベルト先端部だけでなく、肩ベルト先端部にも面ファスナー等の連結部材が設けられているため、使用者好み乃至は最適な矯正力を確保できるものの、肩ベルトの取り付けが面倒であったり、使用中に肩ベルトが外れる、という問題があった。
【０００８】
そこで、本発明はこのような問題点に着目してなされたもので、背当て部がコンパクトであると共に、体への装着が簡単で、かつ、右左の伸縮ベルトそれぞれによって肩にかける矯正力を簡単かつ確実に調整することができる姿勢矯正ベルトを提供することを目的とする。
【課題を解決するための手段】
【０００９】
上記課題を解決するため、本発明に係る姿勢矯正ベルトは、伸縮性を有する右左それぞれの伸縮ベルトと、その右左それぞれの伸縮ベルトの基部がそれぞれ接続され、着用時には体の背中側に位置する背当て部と、前記背当て部に設けられ、着用時には前記背当て部からそれぞれ右左の肩部の上を通った後、体の右左の前側および脇の下を通って背中側に戻った前記右左それぞれの伸縮ベルトそれぞれを通して再度、体の前側に回す右左それぞれのベルト方向転換部とを備え、前記右左それぞれの伸縮ベルトの先端部には、それぞれ、互いに連結するための連結用オス側連結部材または連結用メス側連結部材が設けられていることを特徴とする。
また、本発明に係る姿勢矯正ベルトは、前記右左それぞれの伸縮ベルトの内、先端部に前記連結用オス側連結部材が設けられた伸縮ベルトの一部には、前記連結用オス側連結部材を仮止めするための仮止め用メス側連結部材が設けられている一方、前記右左それぞれの伸縮ベルトの内、先端部に前記連結用メス側連結部材が設けられた伸縮ベルトの先端部の裏側には仮止め用メス側連結部材が設けられていると共に、当該伸縮ベルトの一部には、前記仮止め用メス連結部材を仮止めするための仮止め用オス側連結部材が設けられていることも特徴とする。
また、本発明に係る姿勢矯正ベルトは、前記右左それぞれのベルト方向転換部は、伸縮率が前記右左それぞれの伸縮ベルトよりも小さくほとんど伸縮しない右左それぞれの否伸縮ベルトによって前記背当て部に対し連結されており、前記右左それぞれの伸縮ベルト同士が成す角度は、８０度±５度である一方、前記右左それぞれの否伸縮ベルト同士が成す角度は、１１０度±５度であることも特徴とする。
【発明の効果】
【００１０】
本発明に係る姿勢矯正ベルトでは、姿勢矯正ベルト使用時、右左それぞれの伸縮ベルトは、背中側の背当て部からそれぞれ右左の肩部の上を通った後、体の右左の前側および脇の下を通って背中側に戻り、それぞれが右左それぞれのベルト方向転換部を通して方向を転換させて再度体の前側に回し、右左それぞれの伸縮ベルトの先端部の連結用オス側連結部材と連結用メス側連結部材とによって連結することができる。
その結果、本発明に係る姿勢矯正ベルトによれば、背当て部をコンパクトにできると共に、胸ベルトの他に肩ベルトを留める必要がなくなるので、体に簡単に装着できる。また左右それぞれの伸縮ベルトの基部からベルト方向転換部までの長さを調整することによって伸縮ベルトの肩を通る部分の弾性力を簡単かつ確実に調整することができる。
【図面の簡単な説明】
【００１１】
【図１】本発明に係る実施形態の姿勢矯正ベルトにおける左右の伸縮ベルト先端を連結した状態の正面図である。
【図２】本発明に係る実施形態の姿勢矯正ベルトにおける左右の伸縮ベルト先端を連結した状態の背面図である。
【図３】本発明に係る実施形態の姿勢矯正ベルトにおける左右の伸縮ベルト先端それぞれをベルト方向転換部に通していない状態の正面図である。
【図４】本発明に係る実施形態の姿勢矯正ベルトにおける左右の伸縮ベルト先端それぞれをベルト方向転換部に通していない状態の背面図である。
【図５】本発明に係る実施形態の姿勢矯正ベルトにおける左右の伸縮ベルト先端それぞれを仮止めした状態の正面図である。
【図６】本発明に係る実施形態の姿勢矯正ベルトにおける左右の伸縮ベルト先端それぞれを仮止めした状態の背面図である。
【図７】仮止め状態の本発明に係る実施形態の姿勢矯正ベルトを両肩に装着するまでの一例を示す説明図である。
【図８】仮止め状態の本発明に係る実施形態の姿勢矯正ベルトを装着後、左右の伸縮ベルト先端それぞれを仮止め状態を解除して引っ張っている状態を示す状態を示す説明図である。
【図９】図７および図８に示すような手順で本発明に係る実施形態の姿勢矯正ベルトの装着が完了した状態を示す正面図である。
【図１０】図７および図８に示すような手順で装着した本発明に係る実施形態の姿勢矯正ベルトによって体に作用している引張力ないしは矯正力の状態等を示す正面図である。
【図１１】（ａ），（ｂ）それぞれ本発明に係る実施形態の姿勢矯正ベルト装着前の猫背の状態等を示す側面図、実施形態の姿勢矯正ベルトの装着によって背骨が伸びた状態等が示す側面図である。
【発明を実施するための形態】
【００１２】
以下、本発明に係る実施形態の姿勢矯正ベルトについて、図面を参照しながら説明する。ただし、下記に説明する実施の形態は、あくまで、本発明の一例であり、本発明は、下記に説明する実施の形態に限定されるものではなく、本発明の技術的思想の範囲内で適宜変更可能である。
【００１３】
本発明に係る実施形態の姿勢矯正ベルト１は、図１〜図６等に示すように、主に、右左それぞれの伸縮ベルトである右側伸縮ベルト１１ａおよび左側伸縮ベルト１１ｂと、背当て部１２と、右左それぞれのベルト方向転換部である右側ベルト方向転換部１３ａおよび左側ベルト方向転換部１３ｂと、右左それぞれのベルト方向転換部である否伸縮ベルトである右側ナイロンベルト１１ｃおよび左側ナイロンベルト１１ｄ等を備えて構成されている。
【００１４】
（右側伸縮ベルト１１ａおよび左側伸縮ベルト１１ｂ）
右側伸縮ベルト１１ａおよび左側伸縮ベルト１１ｂは、それぞれ、ポリウレタン製等の強力ゴムがポリエステル製等の生地にメッシュ状に編み込まれた弾性メッシュ生地により構成されており、その引張力によって左右の肩甲骨を背骨に向かって引寄せたり下方に下げて背筋を伸ばす等の矯正力を発揮するもので、図１〜図６等に示すように、基部１１ａ１，１１ｂ１が背当て部１２に縫付けて連結されている。尚、右側伸縮ベルト１１ａは、体に装着した際に右肩の方を通る伸縮ベルト、左側伸縮ベルト１１ｂは、体に装着した際に左肩の方を通る伸縮ベルトである。
【００１５】
（右側伸縮ベルト１１ａ）
右側伸縮ベルト１１ａには、その先端部表側、すなわち体に装着して左側伸縮ベルト１１ｂと連結する際に体に対向する側には、図１や図３等に示すように連結用オス側連結部材として連結用オス側面ファスナー１１ａ２が設けられている。
【００１６】
また、後述する図８や図９等に示すように姿勢矯正ベルト１を体に装着した際、右側伸縮ベルト１１ａの表側における右側の例えば鎖骨と脇の下の中間程度の高さに相当する位置には、図１や図３等に示すように右側伸縮ベルト１１ａ先端の連結用オス側面ファスナー１１ａ２を図５や図６等に示すように仮止めするための仮止め用メス側連結部材である仮止め用メス側面ファスナー１１ａ３が設けられている。
【００１７】
（左側伸縮ベルト１１ｂ）
これに対し、左側伸縮ベルト１１ｂには、その先端部裏側、すなわち姿勢矯正ベルト１を体に装着して右側伸縮ベルト１１ａと連結する際に体に対向しない側には、図１や図４等に示すように、右側伸縮ベルト１１ａの連結用オス側面ファスナー１１ａ２と連結する連結用メス側連結部材である連結用メス側面ファスナー１１ｂ２が設けられている。
【００１８】
また、左側伸縮ベルト１１ｂ先端部の表側、すなわち体に装着した際に体に対向する側には、図２や図３等に示すように仮止め用メス側連結部材である仮止め用メス側面ファスナー１１ｂ３が設けられている。
【００１９】
そのため、姿勢矯正ベルト１の着用時、図２等に示すように、着用者の胸や腹等に左側伸縮ベルト１１ｂの仮止め用メス側面ファスナー１１ｂ３が接触することになるが、仮止め用メス側面ファスナー１１ｂ３はオス側面ファスナーよりも柔らかいので、左側伸縮ベルト１１ｂの引張力によって仮止め用メス側面ファスナー１１ｂ３が強く着用者の胸や腹等の体に当たったとしても着用感等に悪影響を与えることを防止できる。
【００２０】
さらに、後述する図８や図９等に示すように姿勢矯正ベルト１を体に装着した際、左側伸縮ベルト１１ｂの表側における左側の例えば鎖骨と脇の下の中間程度の高さに相当する位置には、左側伸縮ベルト１１ｂ先端部の仮止め用メス側面ファスナー１１ｂ３を図５や図６等に示すように仮止めするための仮止め用オス側連結部材である仮止め用オス側面ファスナー１１ｂ４が設けられている。
【００２１】
尚、本実施形態では、図４等に示すように、右側伸縮ベルト１１ａおよび左側伸縮ベルト１１ｂの長手方向には、体格や矯正力（引張り力）等を調整するため左側伸縮ベルト１１ｂの連結用メス側面ファスナー１１ｂ２が最長で、次に右側伸縮ベルト１１ａの連結用オス側面ファスナー１１ａ２が長く、仮止め目的である右側伸縮ベルト１１ａの仮止め用メス側面ファスナー１１ａ３や、左側伸縮ベルト１１ｂの仮止め用メス側面ファスナー１１ｂ３および仮止め用オス側面ファスナー１１ｂ４を最も短くしているが、これに限定されるものではない。
【００２２】
（背当て部１２，右側ナイロンベルト１１ｃ，左側ナイロンベルト１１ｄ）
背当て部１２は、図１〜図６等に示すように、布地を基材として合成樹脂を塗布や含浸させた周知の合成皮革または人工皮革等の軟質素材を、着用時に両腕を通し易くするため菱形形状の上下２つの角部を小さく削除した変則的な６角形に形成したものをその輪郭に沿って表裏例えば２枚縫付けて形成されており、上側右傾斜辺１２ａ、上側左傾斜辺１２ｂ、下側右傾斜辺１２ｃ、下側左傾斜辺１２ｄを有して構成されている。
【００２３】
ここで、本実施形態の背当て部１２は、図１〜図６等に示すように、上下２つの角部を小さく削除する前の背当て部１２の形状である菱形形状は、上側右傾斜辺１２ａと上側左傾斜辺１２ｂがなす角度は、下側右傾斜辺１２ｃと下側左傾斜辺１２ｄがなす角度よりも大きく、対称な菱型形状ではない。
【００２４】
上側右傾斜辺１２ａには、上側右傾斜辺１２ａに対しほぼ直交方向に右側伸縮ベルト１１ａが延びるように右側伸縮ベルト１１ａの基部１１ａ１が縫付けて固定されている一方、上側左傾斜辺１２ｂには、上側左傾斜辺１２ｂに対しほぼ直交方向に左側伸縮ベルト１１ｂが延びるように左側伸縮ベルト１１ｂの基部１１ｂ１が縫付けて固定されている。
【００２５】
下側右傾斜辺１２ｃには、右側伸縮ベルト１１ａおよび左側伸縮ベルト１１ｂよりも伸縮率が小さくほとんど伸縮せず引張強度の大きい右側否伸縮ベルトである右側ナイロンベルト１１ｃの基部が下側右傾斜辺１２ｃに対し直交方向から多少外側に向かって傾斜して縫い付けて固定されている一方、下側左傾斜辺１２ｄには、右側ナイロンベルト１１ｃと同様に右側伸縮ベルト１１ａおよび左側伸縮ベルト１１ｂよりも伸縮率が小さくほとんど伸縮しない左側否伸縮ベルトである左側ナイロンベルト１１ｄの基部が下側左傾斜辺１２ｄに対し直交方向から多少外側に向かって傾斜して縫い付けて固定されている。
【００２６】
そして、右側ナイロンベルト１１ｃ先端には、右側伸縮ベルト１１ａの幅とほぼ同じか当該幅前後の内幅を有するロ字形状の右側ベルト方向転換部１３ａが設けられている一方、左側ナイロンベルト１１ｄ先端には、左側伸縮ベルト１１ｂの幅とほぼ同じか当該幅前後の内幅を有するロ字形状の左側ベルト方向転換部１３ｂが設けられている。
【００２７】
そして、図４に示すように右側伸縮ベルト１１ａと左側伸縮ベルト１１ｂとが成す角度θ１は、この姿勢矯正ベルト１を体に装着した際、右側伸縮ベルト１１ａおよび左側伸縮ベルト１１ｂが右左の肩からずり落ち難くなるように、例えば、８０度±５度、すなわち７５度〜８５度の範囲で９０度を超えないように背当て部１２に縫付けて固定している。
【００２８】
これに対し、右側ナイロンベルト１１ｃと左側ナイロンベルト１１ｄとが成す角度θ２は、図４に示すように右側ベルト方向転換部１３ａおよび左側ベルト方向変換部１３ｂに通して体の前側に回し易くなり、かつ、体の前側に回った右側伸縮ベルト１１ａおよび左側伸縮ベルト１１ｂがほぼ胸の下の肋骨の上を通ってなるべく腹部まで下がらず、姿勢矯正ベルト１の使用勝手や着用感、矯正力等を確実に確保できるように、例えば、１１０度±５度、すなわち１０５度〜１１５度の範囲で背当て部１２に縫付けて固定している。
【００２９】
つまり、右側ナイロンベルト１１ｃと左側ナイロンベルト１１ｄとが成す角度θ２は、右側伸縮ベルト１１ａと左側伸縮ベルト１１ｂとが成す角度θ１および９０度を超えるように背当て部１２に縫付けて固定して、姿勢矯正ベルト１の使用勝手や着用感、矯正力等を向上させている。
【００３０】
（右側ベルト方向転換部１３ａおよび左側ベルト方向転換部１３ｂ）
右側ベルト方向転換部１３ａおよび左側ベルト方向転換部１３ｂは、いわゆるポリ汗タール製等のプラスチック（合成樹脂）製やアルミ等の軽量金属の硬質素材を扁平した長方形状で４隅が角丸のロ字形状等に形成して、それぞれ右側ナイロンベルト１１ｃと左側ナイロンベルト１１ｄの先端部に取り付けたもので、それぞれ、右側伸縮ベルト１１ａまたは左側伸縮ベルト１１ｂそれぞれをスムーズ（円滑）に通して長さを調整できると共に、方向も変換できるようにベルト通し部１３ａ，１３ｂを有している。
【００３１】
そのため、右側ベルト方向転換部１３ａおよび左側ベルト方向転換部１３ｂは、それぞれ、ベルト通し部１３ａ，１３ｂに右側伸縮ベルト１１ａまたは左側伸縮ベルト１１ｂを通すことによって、背当て部１２からそれぞれ右左の肩部の上を通った後、体の右左の前側および脇の下を通って背中側に戻った右側伸縮ベルト１１ａおよび左側伸縮ベルト１１ｂそれぞれを、図１および図２等に示すように再度体の前側に回すことによって、図１や図２、図３、図４等に示すように右側伸縮ベルト１１ａおよび左側伸縮ベルト１１ｂそれぞれの途中で折り返して方向を転換することができると共に、右側ベルト方向転換部１３ａおよび左側ベルト方向転換部１３ｂを通す右側伸縮ベルト１１ａと左側伸縮ベルト１１ｂの長さを適宜変えることによって左右の肩や肩甲骨、背骨等にかける矯正力または引張力を調節することができる。
【００３２】
＜実施形態の姿勢矯正ベルト１の使用方法＞
次に、以上のように構成された実施形態の姿勢矯正ベルト１の使用しない保管時や携帯時、さらには使用方法の一例、体への作用等について説明する。
【００３３】
（姿勢矯正ベルト１を使用しない保管時や携帯時等）
姿勢矯正ベルト１の保管時等、使用しない時は、例えば、図１および図２に示すように装着状態と同じ、すなわち右側伸縮ベルト１１ａと左側伸縮ベルト１１ｂをそれぞれ右側ベルト方向転換部１３ａと左側ベルト方向転換部１３ｂに通し、右側伸縮ベルト１１ａ先端のオス側面ファスナー１１ａ２を左側伸縮ベルト１１ｂ先端の連結用メス側面ファスナー１１ｂ２に貼り付けた状態や、図３や図４に示すように右側伸縮ベルト１１ａと左側伸縮ベルト１１ｂをそれぞれ右側ベルト方向転換部１３ａと左側ベルト方向転換部１３ｂに通さない状態で保管や携帯しても良いが、ここでは、図５および図６に示すように、右側伸縮ベルト１１ａ先端のオス側面ファスナー１１ａ２を仮止め用メス側面ファスナー１１ａ３に貼り付けて仮止め状態にする一方、左側伸縮ベルト１１ｂ先端の仮止め用メス側面ファスナー１１ｂ３を仮止め用オス側面ファスナー１１ｂ４に貼り付けて、姿勢矯正ベルト１全体をほぼ８の字の仮止め状態にするのが良い。
【００３４】
これは、図５および図６に示す８の字の仮止め状態の姿勢矯正ベルト１と、図１および図２に示すように装着状態の姿勢矯正ベルト１とを比較すると、図５および図６に示す８の字の仮止め状態の姿勢矯正ベルト１の場合、伸縮ベルトが作るループは、右側伸縮ベルト１１ａが作るループと左側伸縮ベルト１１ｂが作るループの２つである。これに対し、図１および図２に示すように装着状態の姿勢矯正ベルト１の場合、さらに右側伸縮ベルト１１ａと左側伸縮ベルト１１ｂと作るループの３つであるので、図５および図６に示す８の字の仮止め状態の姿勢矯正ベルト１の方がシンプルな状態で、この状態から折畳んだり丸める易いからである。また、後述するように姿勢矯正ベルト１を装着する際に非常に便利で楽だからである。
【００３５】
また、図３および図４に示す右左それぞれの伸縮ベルト１１ａ，１１ｂ先端をベルト方向転換部１３ａ，１３ｂに通していない状態は、右側伸縮ベルト１１ａおよび左側伸縮ベルト１１ｂが長い状態で散らばり易いので保管や携帯の際に適さず、また、姿勢矯正ベルト１を装着する際、伸縮ベルト１１ａ，１１ｂ先端それぞれをベルト方向転換部１３ａ，１３ｂに通す必要が生じるので、これらの点等からも図５および図６に示す８の字の仮止め状態の姿勢矯正ベルト１をベースにして折畳んだり丸める等して保管や携帯する方が便利である。
【００３６】
（姿勢矯正ベルト１の装着）
【００３７】
次に、姿勢矯正ベルト１の装着する場合、使用者は、例えば、図５および図６に示すように右側伸縮ベルト１１ａ先端のオス側面ファスナー１１ａ２や左側伸縮ベルト１１ｂ先端の仮止め用メス側面ファスナー１１ｂ３を仮止め状態にして姿勢矯正ベルト全体がほぼ８の字である仮止め状態の姿勢矯正ベルト１を手で持ち、まずは図７に示すように、８の字の仮止め状態の右側伸縮ベルト１１ａが作るループに右手を通すと共に、左側伸縮ベルト１１ｂが作るループに左手を通す。
【００３８】
次に、図７に示すように仮止め状態の姿勢矯正ベルト１の右側伸縮ベルト１１ａが右肩と首の付け根の間の右側の鎖骨や右脇の下等を通るように移動させる一方、仮止め状態の左側伸縮ベルト１１ｂが左肩と首の付け根の間の左側の鎖骨や左脇の下等を通るように移動させる。
【００３９】
尚、以上のように姿勢矯正ベルト１の右側伸縮ベルト１１ａおよび左側伸縮ベルト１１ｂを移動させると、背当て部１２は、左右の肩甲骨の間に移動する。
【００４０】
次に着用者は、例えば、図８に示すように右手等で右側伸縮ベルト１１ａ先端のオス側面ファスナー１１ａ２を仮止めした仮止め用メス側面ファスナー１１ａ３から剥がす一方、左手等で左側伸縮ベルト１１ｂ先端の仮止め用メス側面ファスナー１１ｂ３を仮止めした仮止め用オス側面ファスナー１１ｂ４から剥がし、さらに右手等で右側伸縮ベルト１１ａ先端を引っ張る一方、左手等で左側伸縮ベルト１１ｂ先端を引っ張って、右側伸縮ベルト１１ａ先端および左側伸縮ベルト１１ｂ先端を自分の体の前に回すと共に、右側ベルト方向転換部１３ａおよび左側ベルト方向転換部１３ｂからの右側伸縮ベルト１１ａ先端および左側伸縮ベルト１１ｂの繰り出し量を調整して、肩や背骨にかける引張力である負荷の調整を行う。
【００４１】
そのため、実施形態の姿勢矯正ベルト１によれば、特許文献３の姿勢矯正ベルトとは異なり、右側伸縮ベルト１１ａおよび左側伸縮ベルト１１ｂそれぞれの基部１１ａ１，１１ｂ１から右側ベルト方向転換部１３ａおよび左側ベルト方向転換部１３ｂまでの長さを調整することによって、右左それぞれの肩や背骨等にかける矯正力ないしは引張力である負荷を簡単に調整することができる。
【００４２】
その後は、図９に示すように、右側伸縮ベルト１１ａ先端のオス側面ファスナー１１ａ２を、左側伸縮ベルト１１ｂ先端の連結用メス側面ファスナー１１ｂ２における適度な矯正力ないしは引張力の位置に貼り付けて強固に連結して姿勢矯正ベルト１の装着が完了する。尚、適度な矯正力ないしは引張力の位置に貼り付けることができなかった場合は、右側伸縮ベルト１１ａ先端のオス側面ファスナー１１ａ２を、左側伸縮ベルト１１ｂ先端の連結用メス側面ファスナー１１ｂ２から剥がし、再度、右側伸縮ベルト１１ａ先端と左側伸縮ベルト１１ｂ先端とを引っ張って、右側伸縮ベルト１１ａ先端のオス側面ファスナー１１ａ２を、左側伸縮ベルト１１ｂ先端の連結用メス側面ファスナー１１ｂ２における適度な矯正力ないしは引張力の位置に貼り付けし直すようにする。
【００４３】
そのため、実施形態の姿勢矯正ベルト１では、最後に右側伸縮ベルト１１ａ先端のオス側面ファスナー１１ａ２を、左側伸縮ベルト１１ｂ先端の連結用メス側連結部材である連結用メス側面ファスナー１１ｂ２に接着して強固に連結して姿勢矯正ベルト１の装着が完了するので、特許文献４の姿勢矯正ベルトのように左右の胸ベルトの他に左右の肩ベルトを留める必要がなくなり、体への装着が簡単であると共に、右側伸縮ベルト１１ａおよび左側伸縮ベルト１１ｂそれぞれの基部１１ａ１，１１ｂ１から右側ベルト方向転換部１３ａおよび左側ベルト方向転換部１３ｂまでの長さを調整することによって、右左それぞれの肩や背骨等にかける矯正力ないしは引張力である負荷を簡単に調整することができる。
【００４４】
（姿勢矯正ベルト１の体への作用等）
体への実施形態の姿勢矯正ベルト１の装着が完了し、体格等に応じて右側伸縮ベルト１１ａ先端のオス側面ファスナー１１ａ２が左側伸縮ベルト１１ｂ先端の連結用メス側面ファスナー１１ｂ２の適度な矯正力ないしは引張力の位置に貼り付けられると、右側伸縮ベルト１１ａおよび左側伸縮ベルト１１ｂには、例えば、図１０の矢印に示すように引張力が作用するので、着用者の左右の肩甲骨は背骨に向かって寄せられると共に、下方へ引っ張られる。
【００４５】
その結果、例えば、図１１（ａ）に示すような猫背だった人は、実施形態の姿勢矯正ベルト１を装着して適度な矯正力を負荷させることによって、図１１（ｂ）に示すように背骨を真っ直ぐに伸ばすことができる。
【００４６】
＜実施形態の姿勢矯正ベルト１の主な効果＞
以上説明したように、本発明に係る実施形態の姿勢矯正ベルト１では、姿勢矯正ベルト１使用時、右側伸縮ベルト１１ａおよび左側伸縮ベルト１１ｂは、背中側の背当て部１２からそれぞれ右左の肩部の上を通った後、体の右左の前側および脇の下を通って背中側に戻り、それぞれが右左それぞれの右側ベルト方向転換部１３ａおよび左側ベルト方向転換部１３ｂを通って方向を転換し、再度体の前側に回し、右側伸縮ベルト１１ａおよび左側伸縮ベルト１１ｂ先端それぞれの連結用オス側面ファスナー１１ａ２と連結用メス側面ファスナー１１ｂ２とによって連結する。
【００４７】
そのため、本発明に係る実施形態の姿勢矯正ベルト１によれば、特許文献４の姿勢矯正ベルトとは異なり左右の胸ベルトの他に左右の肩ベルトを留める必要がなくなるので、体に対し簡単に装着して、美しい姿勢を自然と意識して保つことが簡単に可能となる。
【００４８】
特に、本発明に係る実施形態の姿勢矯正ベルト１は、特許文献１，２の姿勢矯正ベルトとは異なり背当て部の中を右左の伸縮ベルト１１ａ，１１ｂを通し交差させて引張力ないしは矯正力を調整する構造ではなく、右側伸縮ベルト１１ａおよび左側伸縮ベルト１１ｂそれぞれの基部１１ａ１，１１ｂ１から右側ベルト方向転換部１３ａおよび左側ベルト方向転換部１３ｂまでの長さを調整することによって右側伸縮ベルト１１ａおよび左側伸縮ベルト１１ｂの肩を通る部分の引張力を調整して、肩や背骨等にかける矯正力を簡単に調整することができる。
【００４９】
そのため、本発明に係る実施形態の姿勢矯正ベルト１によれば、体への装着が簡単であるだけでなく、背当て部１２をコンパクトにできると共に、特許文献４の姿勢矯正ベルトのように左右の胸ベルトの他に左右の肩ベルトを留めなくても、右左の伸縮ベルト１１ａ，１１ｂそれぞれのベルト方向転換部１３ａ，１３ｂまでの長さを調整することによって、右左それぞれの肩や背骨等にかける矯正力ないしは引張力である負荷を簡単に調整できる。
【００５０】
その結果、本発明に係る実施形態の姿勢矯正ベルト１は、背当て部１２のコンパクト化によって保管性や携帯性等を向上させることができると共に、子供や、大人、男性、女性、さらには高齢者等、年齢や性別の違いによって体形や体格等が変わったとしても、特許文献３の姿勢矯正ベルトとは異なりそれぞれの体形や体格等に応じて矯正力ないしは引張力を簡便に調整することができるので、子供から高齢者までの幅広い層で使用することが可能となる。
【００５１】
また、本発明に係る実施形態の姿勢矯正ベルト１では、背当て部１２を小さくコンパクト化したので、この姿勢矯正ベルト１の適用サイズとして、例えば、身長１４０〜１５５ｃｍのＳサイズ、１５０〜１６５ｃｍのＭサイズ、１６５〜１８０ｃｍのＬサイズ、・・・等の複数サイズ用意する場合でも、基本的に背当て部１２はその大きさのままで、右側伸縮ベルト１１ａおよび左側伸縮ベルト１１ｂの長さを変更することによって対応することが可能となり、製造コストを低減することができる。
【００５２】
また、本発明に係る実施形態の姿勢矯正ベルト１では、右側伸縮ベルト１１ａには、装着時、右側の例えば鎖骨と脇の下の中間程度の高さに相当する位置には右側伸縮ベルト１１ａ先端の連結用メス側面ファスナー１１ｂ２を仮止めする仮止め用メス側面ファスナー１１ｂ３を設ける一方、左側伸縮ベルト１１ｂ先端裏側には仮止め用メス側面ファスナー１１ｂ３を設けると共に、装着時、左側伸縮ベルト１１ｂにおける例えば鎖骨と脇の下の中間程度の高さに相当する位置には仮止め用メス側面ファスナー１１ｂ３が仮止めされる仮止め用オス側オス側面ファスナー１１ｂ４を設けたため、姿勢矯正ベルト１を使用しない場合には、図５や図６等に示すように右側伸縮ベルト１１ａ先端の連結用メス側面ファスナー１１ｂ２を仮止め用メス側面ファスナー１１ｂ３に仮止めする一方、左側伸縮ベルト１１ｂ先端の仮止め用メス側面ファスナー１１ｂ３を仮止め用メス側面ファスナー１１ｂ３に仮止めすることができる。
【００５３】
そのため、本発明に係る実施形態の姿勢矯正ベルト１によれば、図５や図６等に示すように右側伸縮ベルト１１ａ先端や左側伸縮ベルト１１ｂ先端が散らばることなく姿勢矯正ベルト１全体を８の字の仮止め状態のシンプルな形状に仮止めした後、折畳んだり丸める等して姿勢矯正ベルト１を保管や携帯することができるので、姿勢矯正ベルト１の入れ物等がなくても姿勢矯正ベルト１をコンパクトかつ綺麗な状態で保管や携帯することができる。
【００５４】
また、本発明に係る実施形態の姿勢矯正ベルト１では、例えば、姿勢矯正ベルト１を装着する際は、図７等に示すように全体を８の字の仮止め状態のシンプルな形状に仮止めした姿勢矯正ベルト１の右側伸縮ベルト１１ａが作るループに右手を通すと共に、左側伸縮ベルト１１ｂが作るループに左手を通して、仮止め状態の右側伸縮ベルト１１ａおよび左側伸縮ベルト１１ｂそれぞれを右左の肩と首の付け根の間の鎖骨や脇の下等を通るように移動させ、次いで図８および図９に示すように右側伸縮ベルト１１ａ先端の連結用オス側面ファスナー１１ａ２を左側伸縮ベルト１１ｂ先端の連結用メス側面ファスナー１１ｂ２に連結することによって装着することができる。
【００５５】
そのため、図５や図６等に示す姿勢矯正ベルト１全体を８の字の仮止め状態のシンプルな仮止め状態をベースとして保管や携帯することができるだけでなく、全体を８の字の仮止め状態のシンプルな形状に仮止めした姿勢矯正ベルト１から簡単に体に装着することができる。
【００５６】
また、本発明に係る実施形態の姿勢矯正ベルト１では、右左それぞれの右側ベルト方向転換部１３ａおよび左側ベルト方向変換部１３ｂは、伸縮率が右側伸縮ベルト１１ａおよび左側伸縮ベルト１１ｂよりも小さくほとんど伸縮しない右左それぞれの右側ナイロンベルト１１ｃと左側ナイロンベルト１１ｄを介して背当て部１２に設け、右側伸縮ベルト１１ａと左側伸縮ベルト１１ｂとが成す角度θ１は８０度±５度で９０度を超えないようにしたため、右側伸縮ベルト１１ａおよび左側伸縮ベルト１１ｂが右左の肩からずり落ち難くすることができ、使用勝手を向上させることができる。
【００５７】
また、右側否伸縮ベルト１１ａおよび左側伸縮ベルト１１ｂ同士が成す角度θ２は１１０度±５度で９０度より大きくしたため、右側伸縮ベルト１１ａおよび左側伸縮ベルト１１ｂそれぞれを右側ベルト方向転換部１３ａおよび左側ベルト方向変換部１３ｂに通して体の前側に回し易くなると共に、体の前側に回った右側伸縮ベルト１１ａおよび左側伸縮ベルト１１ｂがほぼ胸の下の肋骨の上を通って腹部まで下がらないので、姿勢矯正ベルト１の使用勝手や着用感等を向上させることができる。
【００５８】
尚、上記実施形態の説明では、右側ベルト方向転換部１３ａと左側ベルト方向転換部１３ｂは、背当て部１２にそれぞれ右側ナイロンベルト１１ｃと左側ナイロンベルト１１ｄを介して設けて説明したが、本発明ではこれに限らず、例えば、背当て部１２の下側右傾斜辺１２ｃ側と下側左傾斜辺１２ｄ側にそれぞれ右側伸縮ベルト１１ａまたは左側伸縮ベルト１１ｂを通すロ字形状の孔部を設けて、その孔部を右側ベルト方向転換部１３ａと左側ベルト方向転換部１３ｂとしたり（必要あればその孔部周囲にプラスチック等のロ字形状等の硬質素材を嵌める。）、背当て部１２の下側右傾斜辺１２ｃと下側左傾斜辺１２ｄとに右側ナイロンベルト１１ｃおよび左側ナイロンベルト１１ｄを使用せずに直接、右側ベルト方向転換部１３ａと左側ベルト方向転換部１３ｂを設ける等して、背当て部１２に右側ベルト方向転換部１３ａおよび左側ベルト方向転換部１３ｂを設けるようにしても勿論良い。
【００５９】
また、上記実施形態の説明では、背当て部１２は、合成皮革または人工皮革等の軟質素材で着菱形形状の上下２つの角部を小さく削除した変則的な６角形に形成した形状のもので説明したが、本発明ではこれに限らず、円形や楕円形状、さらには完全な菱形形状等、軟質素材で他の形状に形成したり、さらには右側ベルト方向転換部１３ａおよび左側ベルト方向転換部１３ｂと同様にプラスチック等の硬質素材で右側ベルト方向転換部１３ａおよび左側ベルト方向転換部１３ｂと一体または別体で成形したり、右側否伸縮ベルト１１ａおよび左側伸縮ベルト１１ｂの基部１１ａ１，１１ｂ１同士を接着ないしは連結させて固めた物でも勿論良く、要は、右側否伸縮ベルト１１ａおよび左側伸縮ベルト１１ｂの基部１１ａ１，１１ｂ１同士を連結できると共に、右側ベルト方向転換部１３ａおよび左側ベルト方向転換部１３ｂを設けることができる程度の大きさと形状があれば十分であり、素材にもこだわらない。
【００６０】
また、上記実施形態の説明では、右側伸縮ベルト１１ａ先端に連結用オス側面ファスナー１１ａ２を設ける一方、左側伸縮ベルト１１ｂ先端に連結用メス側面ファスナー１１ｂ２を設けて説明したが、本発明ではこれに限らず、右側伸縮ベルト１１ａ先端に連結用メス側面ファスナー１１ｂ２を設ける一方、左側伸縮ベルト１１ｂ先端に連結用オス側面ファスナー１１ａ２を設けるようにしても勿論良い。
【００６１】
また、左側伸縮ベルト１１ｂ先端裏側に仮止め用メス側面ファスナー１１ｂ３を設ける一方、左側伸縮ベルト１１ｂの表側における左側の例えば鎖骨と脇の下の中間程度の高さに相当する位置に仮止め用オス側面ファスナー１１ｂ４を設けて説明したが、本発明ではこれに限らず、左側伸縮ベルト１１ｂ先端裏側に仮止め用オス側面ファスナー１１ｂ４を設ける一方、左側伸縮ベルト１１ｂの表側における左側の例えば鎖骨と脇の下の中間程度の高さに相当する位置に仮止め用メス側面ファスナー１１ｂ３を設けるようにしても勿論良い。この場合、右側伸縮ベルト１１ａおよび左側伸縮ベルト１１ｂそれぞれの鎖骨と脇の下の中間程度の高さに相当する位置に設ける仮止め用メス側面ファスナー１１ａ３および仮止め用メス側面ファスナー１１ｂ３は共にメス側面ファスナーとなるので、姿勢矯正ベルト１の着用時、使用されない仮止め用メス側面ファスナー１１ａ３および仮止め用メス側面ファスナー１１ｂ３が姿勢矯正ベルト１の上に着用するシャツやセーター等の裏側に引っ付くこと等を確実に防止できる。
【００６２】
また、上記実施形態の説明では、連結用オス側連結部材、仮止め用メス側連結部材、連結用メス側連結部材、仮止め用メス側連結部材、仮止め用オス側連結部材として面ファスナーを採用して説明したが、本発明ではこれに限らず、これらの連結部材として面ファスナー以外のホックやボタン等の他の連結部材を使用しても勿論良い。
【００６３】
また、上記実施形態の説明では、右側伸縮ベルト１１ａおよび左側伸縮ベルト１１ｂを独立させて別々に用意してそれぞれの基部１１ａ１，１１ｂ１を背当て部１２に縫付けて構成したが、本発明ではこれに限らず、右側伸縮ベルト１１ａおよび左側伸縮ベルト１１ｂを１本の伸縮ベルトで構成して、それぞれの基部１１ａ１，１１ｂ１が背当て部１２の中で連続したような形態でも勿論良い。
【符号の説明】
【００６４】
１  姿勢矯正ベルト
１１ａ  右側伸縮ベルト
１１ａ１  基部
１１ａ２  連結用オス側面ファスナー（連結用オス側連結部材）
１１ａ３  仮止め用メス側面ファスナー（仮止め用メス側連結部材）
１１ｂ  左側伸縮ベルト
１１ｂ１  基部
１１ｂ２  連結用メス側面ファスナー（連結用メス側連結部材）
１１ｂ３  仮止め用メス側面ファスナー（仮止め用メス側連結部材）
１１ｂ４  仮止め用オス側面ファスナー（仮止め用オス側連結部材）
１１ｃ  右側ナイロンベルト（否伸縮ベルト）
１１ｄ  左側ナイロンベルト（否伸縮ベルト）
１２  背当て部
１２ａ  上側右傾斜辺
１２ｂ  上側左傾斜辺
１２ｃ  下側右傾斜辺
１２ｄ  下側左傾斜辺
１３ａ  右側ベルト方向転換部
１３ｂ  左側ベルト方向転換部
【図１】
2019129997.tif 000003
【図２】
2019129997.tif 000004
【図３】
2019129997.tif 000005
【図４】
2019129997.tif 000006
【図５】
2019129997.tif 000007
【図６】
2019129997.tif 000008
【図７】
2019129997.tif 000009
【図８】
2019129997.tif 000010
【図９】
2019129997.tif 000011
【図１０】
2019129997.tif 000012
【図１１】
2019129997.tif 000013